(57)【要約】【課題】線材からなる複数の格子状パネルで構成された物品収納具を、強度の低下を防止し、径の小さい線材を使用して軽量化および低コスト化をはかる。【解決手段】縦線材11Bと横線材12Bからなる底面格子状パネル2および左右の側面格子状パネルならびに前後面格子状パネルを具備し、底面格子状パネル2に取り付けられた底部フレーム7に、脚部材8を取り付けて段積み可能とした物品収納具において、底部フレーム7を、前後枠部材21F.21Bと左右枠部材21R,21Lで囲まれた枠フレーム21と、枠フレーム21内で左右枠部材21R,21L間に掛け渡された中間梁材22A〜22Cとで形成し、中間梁材22A〜22Cの近傍で中間梁材22A〜22Cに沿う底面格子状パネル2の横線材12C,12Dを削除するかまたは粗いピッチとした。【選択図】図５
2008013261.tif 000002
【特許請求の範囲】
【請求項１】
縦線材と横線材からなる底面格子状パネルおよび左右の側面格子状パネルならびに前後面格子状パネルを具備し、前記底面格子状パネルに取り付けられた底部フレームに、下段に配置される物品収納具の左右の側面格子状パネルの上辺部に係合可能に設けられた脚部材を取り付けて段積み可能に構成された物品収納具において、
前記底部フレームを、前後枠部材と左右枠部材で囲まれた枠フレームと、該枠フレーム内で前後枠部材間または左右枠部材間に掛け渡された中間梁材とで形成し、
前記中間梁材の近傍で中間梁材に沿う底面格子状パネルの縦線材または横線材を、削除するかまたは粗いピッチとした
ことを特徴とする物品収納具。
【請求項２】
底面格子状パネルは、縦線材および横線材をそれぞれ等ピッチで配置した格子状を基本形状とし、
底面格子状パネルで削除する線材を、中間梁材に対応して配置された横線材とし、
底面格子状パネルで粗いピッチとする線材を、中間梁材に対応して前後に配置された横線材とした
ことを特徴とする請求項１記載の物品収納具。
【請求項３】
左右の側面格子状パネルの縦線材と横線材とをそれぞれ等ピッチで配置するとともに、左右の側面格子状パネルの上辺部の第１段横線材と第２段横線材の間に、座屈補強用横線材を取り付けた
ことを特徴とする請求項１または２記載の物品収納具。
【請求項４】
底部フレームの脚部材に、下段に配置される物品収納具の左右の側面格子状パネルの上辺部に係合可能な係合溝を形成し、
左右の側面格子状パネルの前辺部側と後辺部側に、補強縦線材をそれぞれ設けるとともに、これら補強縦線材のうち、上段に段積みされる物品収納具の脚部材に対応する補強縦線材の上端部を削除し、
補強縦線材の上端部より上部に座屈補強用横線材が配置された
ことを特徴とする請求項３記載の物品収納具。
【発明の詳細な説明】
【技術分野】
【０００１】
本発明は、複数枚の格子状パネルにより箱型状に組み立てられ、製品や部品を収納して搬送したり、段積みして保管するための物品収納具に関する。
【背景技術】
【０００２】
複数の格子状パネルを箱型状に組み立て、物品を収容して搬送したり、また複数段に段積みして倉庫などに保管する物品収納具は、従来では、生産工程の簡略化から、縦線材と横線材をできるだけ等ピッチで格子状に配置して格子状パネルを形成している。そして、特許文献１のようにこれら格子状パネルで強度が必要な個所は、補強線材をプラスして補強しているものがある。
【発明の開示】
【発明が解決しようとする課題】
【０００３】
ところで、近年、このような物品収納具においても、軽量化、低コスト化が求められて推進されつつある。これを実施するために、格子状パネルを部分的に径の細い線材を用いて製造することも考えられるが、通常パネル製造装置では、線材を部分的に異径の線材に変更して取り扱うことが困難なことが多く、改造するとかえって高コストになるおそれがある。
【０００４】
本発明は、上記問題点を解決して、線材により格子状パネルを形成し、これら複数の格子状パネルで構成される物品収納具において、強度の低下を防止しつつ径の小さい線材により格子状パネルを形成し、軽量化および低コスト化をはかることができる物品収納具を提供することを目的とする。
【課題を解決するための手段】
【０００５】
上記目的を達成するために請求項１記載の発明は、縦線材と横線材からなる底面格子状パネルおよび左右の側面格子状パネルならびに前後面格子状パネルを具備し、前記底面格子状パネルに取り付けられた底部フレームに、下段に配置される物品収納具の左右の側面格子状パネルの上辺部に係合可能に設けられた脚部材を取り付けて段積み可能に構成された物品収納具において、前記底部フレームを、前後枠部材と左右枠部材で囲まれた枠フレームと、該枠フレーム内で前後枠部材間または左右枠部材間に掛け渡された中間梁材とで形成し、前記中間梁材の近傍で中間梁材に沿う底面格子状パネルの縦線材または横線材を、削除するかまたは粗いピッチとしたものである。
【０００６】
請求項２記載の発明は、請求項１記載の構成において、底面格子状パネルは、縦線材および横線材をそれぞれ等ピッチで配置した格子状を基本形状とし、底面格子状パネルで削除する線材を、中間梁材に対応して配置された横線材とし、底面格子状パネルで粗いピッチとする線材を、中間梁材に対応して前後に配置された横線材としたものである。
【０００７】
請求項３記載の発明は、請求項１または２記載の構成において、左右の側面格子状パネルの縦線材と横線材とをそれぞれ等ピッチで配置するとともに、左右の側面格子状パネルの上辺部の第１段横線材と第２段横線材の間に、座屈補強用横線材を取り付けたものである。
【０００８】
請求項４記載の発明は、請求項３記載の構成において、底部フレームの脚部材に、下段に配置される物品収納具の左右の側面格子状パネルの上辺部に係合可能な係合溝を形成し、左右の側面格子状パネルの前辺部側と後辺部側に、補強縦線材をそれぞれ設けるとともに、これら補強縦線材のうち、上段に段積みされる物品収納具の脚部材に対応する補強縦線材の上端部を削除し、補強縦線材の上端部より上部に座屈補強用横線材が配置されたものである。
【発明の効果】
【０００９】
請求項１記載の発明によれば、縦線材と横線材の径を全体的に小さくして軽量化を図る時に、縦線材と横線材のピッチの一部において、中間梁材により支持される底面格子状パネルの線材を削除するかまたは粗いピッチとする線材の部分的なピッチ変更により、必要な強度を確保しつつ部材の削減が図れ、軽量化を促進することができる。
【００１０】
請求項２記載の発明によれば、中間梁材に対応して配置された横線材を削除し、中間梁材に対応して前後に配置された横線材のピッチを粗くすることにより、縦線材および横線材をそれぞれ等ピッチで配置した格子状を基本形状としつつ、横線材の部分的なピッチ変更により、軽量化と製造の容易化を図ることができる。
【００１１】
請求項３記載の発明によれば、縦線材と横線材の径を全体に小さくして軽量化を図る時に、縦線材と横線材を等ピッチ間隔で配設する基本形状を変更することなく、座屈補強用横線材を追加する線材の部分的なピッチ変更で、座屈補強用横線材により第１段横線材と補強用横線材の間の縦線材を短くして、上段物品収納具から脚部材を介して負荷される荷重に対する縦線材の座屈強度を向上させ、段積み時の強度低下を防止することができる。
【００１２】
請求項４記載の発明によれば、補強縦線材により、物品収納具が脚部材を介して上段に段積みされる左右の側面格子状パネルの前辺部と後辺部の座屈強度を高めることができ、また補強縦線材の上端部を削除することにより、上辺部の厚みを小さくして、脚部材の係合溝の嵌合を容易に行うことができる。
【発明を実施するための最良の形態】
【００１３】
ここで、本発明に係る物品収納具の実施の形態を図１〜図７に基づいて説明する。
［実施の形態１］
まず、この物品収納具１の概略を図６，図７を参照して説明する。
【００１４】
この物品収納具１は、底面格子状パネル２と前面格子状パネル３および後面格子状パネル４と左右の側面格子状パネル５，６とで上面が開放された箱体状に形成されている。そして、底面格子状パネル２に取り付けられた底部フレーム７の四隅位置に、左右の側面格子状パネル５，６の上辺部前後位置に係合可能な脚部材８が設けられて、物品収納具１を上下に段積み可能に構成されている。また各格子状パネル２〜６は、縦線材１１（１１Ａ，１１Ｂ）と横線材１２（１２Ａ，１２Ｂ）とがそれぞれ一定ピッチで配置されて矩形格子状となる基本形状に形成され、また同一径の線材により格子状パネル２〜６が成形されるとともに、後述するように、必要に応じて同一径または異径の補強線材が取り付けられている。
【００１５】
前記底面格子状パネル２の前辺部に、前底部ヒンジコイル（連結部材）９Ａを介して前面格子状パネル３が回動自在に連結され、前面全体を開閉することができる。また、前面格子状パネル３は、高さ方向の中間位置で分離されて、下部が底面格子状パネル２側に折り曲げられたＬ字形の下段パネル部３ａと、上段パネル部３ｂとで構成されている。そして下段パネル部３ａと上段パネル部３ｂとは、前部ヒンジコイル（連結部材）９Ｂにより互いに回動自在に連結され、上段パネル部３ｂを前方に回動することにより前面上半分を開閉することができる。また下段パネル部３ａと上段パネル部３ｂは、上連結具１０Ａと下連結具１０Ｂにより、それぞれ側面格子状パネル５，６の前辺部に着脱自在に係止されている。
【００１６】
前記底面格子状パネル２の後辺部には、後底部ヒンジコイル（連結部材）９Ｃを介して後面格子状パネル４が回動自在に連結されて折り畳み可能に構成されている。さらに後面格子状パネル４の左右両辺部にそれぞれ側部ヒンジコイル（連結部材）９Ｄ，９Ｅを介して左右の側面格子状パネル５，６が回動自在に連結されて折り畳み可能に構成されている。
【００１７】
底面格子状パネル２の底部に配置された底部フレーム７は、たとえば上面が開放されたチャネル形断面の複数の型材を組み合わせて構成され、前後枠部材２１Ｆ，２１Ｂと左右枠部材２１Ｒ，２１Ｌで囲まれた枠フレーム２１と、該枠フレーム２１内で左右枠部材２１Ｒ，２１Ｌ間に掛け渡された複数の中間梁材２２Ａ〜２２Ｃとを具備している。また左右枠部材２１Ｒ，２１Ｌの前後位置に脚部材８がそれぞれ取り付けられ、これら脚部材８の下面には、下段物品収納具１の側面格子状パネル５，６の上辺部に係合可能な係合溝８ａが形成されている。
【００１８】
次に側面格子状パネル５，６の構造について図１〜図３を参照して説明する。
側面格子状パネル５，６は、等ピッチで配置された縦線材１１Ａの内面に各横線材１２Ａが後辺部を除いて等ピッチで配置されて交差部がそれぞれ溶接により接合されている。そして側面格子状パネル５，６の上辺部内面に、横線材１２Ａとの間に縦線材１１Ａを挟み込む補強用横線材１３が取り付けられている。また横線材１２Ａの外面には、縦線材１１Ａとの間に横線材１２Ａを挟み込むように、図１にハッチングで示す複数の補強縦線材１４Ａ〜１４Ｄがそれぞれ縦線材１１Ａに重なり合う位置に取り付けられている。
【００１９】
これら４本の補強縦線材１４Ａ〜１４Ｄは、たとえば前辺部から後方に２本目の縦線材１１Ａとの間に横線材１２Ａを挟み込むように第１補強縦線材１４Ａが取り付けられ、また前辺部から後方に４本目の縦線材１１Ａとの間に横線材１２Ａを挟み込む位置に第２補強縦線材１４Ｂが取り付けられている。さらに後辺部から前方に４本目の縦線材１１Ａとの間に横線材１２Ａを挟み込む位置に第３補強縦線材１４Ｃが取り付けられ、さらにまた後辺部から前方に２本目の縦線材１１Ａとの間に横線材１２Ａを挟み込む位置に第４補強縦線材１４Ｄが取り付けられている。また側面格子状パネル５，６の前辺部には、連結具９Ａ，９Ｂを構成する横置きＵ字形の被係合部材９ａ，９ｂと、下部で連結部の開き止めをする横置きＵ字形の開き止め部材１８が取り付けられ、また底辺部には、前後位置に左右枠部材２１Ｒ，２１Ｌに嵌合する係止部材１９がそれぞれ突設されている。
【００２０】
ところで、上記物品収納具１を軽量化する場合、物品収納具１内に収容する荷の重量を保持できる範囲で、全体を構成する線材の径を小さくすることにより大幅な軽量化が可能となるが、とりわけ問題となるのは、段積み時の側面格子状パネル５，６の座屈強度である。特に脚部材８が係合される側面格子状パネル５，６の上辺部の前部と後部において縦線材１１Ａに座屈が発生するおそれがある。
【００２１】
ここで、補強縦線材を追加することにより補強することも考えられるが、脚部材８の係合溝８ａの幅に対して、側面格子状パネル５，６の上辺部の厚みが大きくなると、段積み時の嵌め込みが困難になる恐れがある。このため、第１補強縦線材１４Ａと第３強縦線材１４Ｃの上端部が第２段横線材１３Ａｂ位置で切除されている。したがって、脚部材８が係合される上辺部では、新たな補強縦線材を追加して座屈強度を高めることはできない。
【００２２】
このため、この実施の形態では、上辺部の第１段横線材１２Ａａとその下の第２段横線材１２Ａｂの中間位置で、図２（ｂ）に示す縦線材１１Ａの外面、または図２（ｂ）に示す縦線材１１Ａの内面に、１本の座屈補強用横線材１５が取り付けられ、たとえば第１段横線材１２Ａａと座屈補強用横線材１５の間および座屈補強用横線材１５と第２段横線材１２Ａｂの間が、等ピッチＰａに対して略１／２のピッチＰａ１に設定されている。この座屈補強用横線材１５により、上段物品収納具１の脚部材８Ａ，８Ｄが係止される係止部の前後位置で、荷重を支持する縦線材１１Ａの第１段横線材１２Ａａから座屈補強用横線材１５までの長さ（ピッチＰａ１）を、略１／２にすることにより、極めて簡易な構造で座屈強度を高めることができる。
【００２３】
また、側面格子状パネル５，６の後辺部の縦線材１１Ａと後面格子状パネル４の左右側辺部の縦線材１１とを連結する側部ヒンジコイル９Ｄ，９Ｅの上部には、段積み時の荷重による開きを防止するためのたとえば略長円形断面の開き止め連結部材１６が取り付けられており、この開き止め連結部材１６は、上端側の第１段横線材１２Ａａと第２段横線材１２Ａｂの間に位置している。このため、座屈補強用横線材１５の後端部を、後辺部から２番目の縦線材１２Ａ（第４補強縦線材１５Ｄ）に対応する切断部１５ａで切除することにより、座屈補強用横線材１５と開き止め連結部材１６との干渉が防止されている。
【００２４】
また、上記側面格子状パネル５，６の変形例として、図８に示すように、第２段横線材１２Ａｂを上方に変位させて固着し、第１段横線材１２Ａａと第２段横線材１２ＡｂのピッチＰａ２を小さくすることで、極めて簡易な構造で座屈強度を高めることができる。第２段横線材１２Ａｂと第３段横線材１２ＡｃのピッチＰａ３とすると、たとえばＰａ：Ｐａ２：Ｐａ３≒１：１．４：０．６に設定されている。
【００２５】
さらに上記物品収納具１を軽量化する場合、線材の部分的なピッチ変更により、過大な強度部分を少なくすることでこれを実現することができる。
【００２６】
すなわち、底面格子状パネル２では、縦線材１１Ｂと横線材１２Ｂとをそれぞれ前辺部と後辺部を除いて、等ピッチＰｂで配置した格子状を基本形状としているが、ここでは、中間梁材２２Ａ〜２２Ｃ上に底面格子状パネル２の縦線材１２Ｂが接近した位置または近傍位置に配置されることから、必要以上に過大な強度を有している。
【００２７】
したがって、前部の中間梁材２２Ａおよび後部の中間梁材２２Ｃに対応する図５（ｂ）に仮想線で示す横線材１２Ｃが削除され、削除部分の前後の横線材１２ＢのピッチＰｂ１が等ピッチＰｂの２倍に形成されている。また、中央部の中間梁材２２Ｂに対応して前後に配置される図５（ｂ）に仮想線で示す２本の横線材１２Ｄを１本に減らして、横線材１２Ｂａを中間位置に配置し、前後の横線材１２ＢのピッチＰｂ２を等ピッチＰｂの１．５倍に構成している。
【００２８】
これにより、物品収納具１の底面の強度を低下させることなく、合計３本の横線材１２Ｂを削除して線材の部分的なピッチ変更により、材料コストを低減するとともに、軽量化を促進することができる。
【００２９】
上記実施の形態によれば、縦線材１１と横線材１２とをそれぞれ一定ピッチで配置した矩形格子状を基本形状とし、格子状パネル２〜６の縦線材１１と横線材１２の外径を全体的に小さくして軽量化を図る時に、左右の側面格子状パネル５，６の縦線材１１Ａと横線材１２Ａを等ピッチ間隔で配設する製造手順を変更することなく、補強用横線材１３を追加して部分的に線材をピッチ変更した簡単な構造で、第１段横線材１２Ａａと補強用横線材１３の間の縦線材１１Ａを短くして、上段の物品収納具１から脚部材８Ａ，８Ｂを介して負荷される荷重に対する座屈強度を向上させ、段積み時の強度低下を防止することができる。
【００３０】
また、縦線材１１と横線材１２とをそれぞれ一定ピッチで配置した矩形格子状を基本形状とし、格子状パネル２〜６の縦線材１１と横線材１２の径を全体的に小さくして軽量化を図る時に、左右の側面格子状パネル５，６の第１段横線材１２Ａａと第２段横線材１２Ａｂのピッチが小さくなるように部分的に線材をピッチ変更した簡単な構造で、第１段横線材１２Ａａと第２段横線材１２Ａｂの間の縦線材１１Ａを短くして、上段物品収納具１から脚部材８Ａ，８Ｂを介して負荷される荷重に対する座屈強度を向上させ、段積み時の強度低下を防止することができる。
【００３１】
さらに、縦線材１１と横線材１２とをそれぞれ一定ピッチで配置した矩形格子状を基本形状とし、格子状パネル２〜６の縦線材１１と横線材１２の径を全体的に小さくして軽量化を図る時に、底部フレーム７の中間梁材２２Ａ〜２２Ｃにより支持される底面格子状パネル２の横線材１２Ｃ，１２Ｄを削除し、粗いピッチとして部分的に線材をピッチ変更することにより、必要な強度を確保しつつ部材の削減が図れ、軽量化を促進することができる。
【００３２】
なお、上記実施の形態では、縦線材１１（１１Ａ，１１Ｂ）と横線材１２（１２Ａ，１２Ｂ）を同一径として説明したが、パネル製造装置の仕様によっては、縦線材１１（１１Ａ，１１Ｂ）と横線材１２（１２Ａ，１２Ｂ）とを異径の線材としたり、また部分的に径の異なる線材を使用することもできる。
【図面の簡単な説明】
【００３３】
【図１】本発明に係る物品収納用具の実施の形態を示す側面格子状パネルの内方視の全体側面図である。
【図２】（ａ）は同側面格子状パネルの上辺部を示す部分断面図、（ｂ）は同側面格子状パネルの上辺部の変形例を示す部分断面図である。
【図３】同側面格子状パネルの上辺部後部連結部を示す部分側面図である。
【図４】同物品収納具の底面格子状パネルおよび底部フレームを示す全体平面図である。
【図５】（ａ）は同底部フレームを示す平面図、（ｂ）は同底面格子状パネルを示す平面図である。
【図６】同物品搬送具の全体を示す上方斜視図である。
【図７】同物品搬送具の全体を示す下方斜視図である。
【図８】同側面格子状パネルの変形例を示す全体側面図である。
【符号の説明】
【００３４】
１    物品収納具
２    底面格子状パネル
３    前面格子状パネル
３ａ  下段パネル部
３ｂ  上段パネル部
４    後面格子状パネル
５    左側面格子状パネル
６    右側面格子状パネル
７    底部フレーム
８    脚部材
９Ａ〜９Ｅ  ヒンジコイル
１０Ａ，１０Ｂ  連結具
１１，１１Ａ，１１Ｂ  縦線材
１２，１２Ａ，１２Ｂ  横線材
１５    座屈補強用横線材
１６    開き止め連結部材
２１Ｆ，２１Ｂ  前後枠部材
２１Ｒ，２１Ｌ  左右枠部材
２２Ａ〜２２Ｃ  中間梁材
【図１】
2008013261.tif 000003
【図２】
2008013261.tif 000004
【図３】
2008013261.tif 000005
【図４】
2008013261.tif 000006
【図５】
2008013261.tif 000007
【図６】
2008013261.tif 000008
【図７】
2008013261.tif 000009
【図８】
2008013261.tif 000010